(57)【要約】【課題】外壁用有機芯材入り金属パネル材と金属板が接着された金属板付石膏ボードとを使用する外壁構造を防火耐火性能に優れたものにする。【解決手段】石膏ボード１ａの少なくとも片面に鋼板，アルミ板又は銅板から成り板厚が０．２７〜０．６ｍｍである金属板１ｂが接着されている金属板付石膏ボード１を金属板１ｂを屋内側に配してその四周を当接させた状態で鋼製柱２にタッピンビス１ｃで固定し、外壁用有機芯材入り金属パネル材３をその隣接部分を当接された状態で金属板付石膏ボード１の屋外側であって、金属板付石膏ボード１に直接にか、金属板付石膏ボード１の屋外側面上に固定された取付け役物を介してか、鋼製柱２及び／又は鋼製横胴縁の屋外側面上に直接にか、又は鋼製柱２及び／又は鋼製横胴縁の屋外側面上に固定された取付け役物を介して固定する。【選択図】　　　　図３
2004003295.tif 000002
【特許請求の範囲】
【請求項１】
鋼製柱（２）の屋外側面上に、石膏ボード（１ａ）の少なくとも片面に鋼板，アルミ板又は銅板から成り板厚が０．２７〜０．６ｍｍである金属板（１ｂ）が接着されている金属板付石膏ボード（１）がその四周を当接させた状態で該金属板（１ｂ）を屋内側に配して該鋼製柱（２）に至るタッピンビス（１ｃ）で固定されていると共に、
外壁用有機芯材入り金属パネル材（３）が、その隣接部分を当接された状態で、該金属板付石膏ボード（１）の屋外側面上に該鋼製柱（２）に至るタッピンビス（３ａ）で、又は該金属板付石膏ボード（１）の屋外側面上に該鋼製柱（２）に至るタッピンビス（４ａ）で固定された取付け役物（４）を介して、固定されていることを特徴とする防火耐火性能に優れた外壁構造。
【請求項２】
鋼製柱（２）の屋外側面上に該鋼製柱（２）に直交して固定されている鋼製横胴縁（２ａ）の屋外側面上に、石膏ボード（１ａ）の少なくとも片面に鋼板，アルミ板又は銅板から成り板厚が０．２７〜０．６ｍｍである金属板（１ｂ）が接着されている金属板付石膏ボード（１）がその四周を当接させた状態で該金属板（１ｂ）を屋内側に配して該鋼製横胴縁（２ａ）に至るタッピンビス（１ｃ）で固定されていると共に、
外壁用有機芯材入り金属パネル材（３）が、その隣接部分を当接された状態で、該金属板付石膏ボード（１）の屋外側面上に該鋼製横胴縁（２ａ）に至るタッピンビス（３ａ）で、又は該金属板付石膏ボード（１）の屋外側面上に該鋼製横胴縁（２ａ）に至るタッピンビス（４ａ）で固定された取付け役物（４）を介して、固定されていることを特徴とする防火耐火性能に優れた外壁構造。
【請求項３】
隣合う鋼製柱（２）の互いに対向する面に両端が固定されている該鋼製柱（２）と直交する鋼製横胴縁（２ａ）の屋外側面上及び／又は該鋼製柱（２）の屋外側面上に、石膏ボード（１ａ）の少なくとも片面に鋼板，アルミ板又は銅板から成り板厚が０．２７〜０．６ｍｍである金属板（１ｂ）が接着されている金属板付石膏ボード（１）がその四周を当接させた状態で該金属板（１ｂ）を屋内側に配して該鋼製横胴縁（２ａ）及び／又は該鋼製柱（２）に至るタッピンビス（１ｃ）で固定されていると共に、
外壁用有機芯材入り金属パネル材（３）が、その隣接部分を当接された状態で、該金属板付石膏ボード（１）の屋外側面上に該鋼製横胴縁（２ａ）及び／又は該鋼製柱（２）に至るタッピンビス（３ａ）で、又は該金属板付石膏ボード（１）の屋外側面上に該鋼製横胴縁（２ａ）及び／又は該鋼製柱（２）に至るタッピンビス（４ａ）で固定された取付け役物（４）を介して、固定されていることを特徴とする防火耐火性能に優れた外壁構造。
【請求項４】
鋼製柱（２）の屋内側面上に、石膏ボード（１ａ）の少なくとも片面に鋼板，アルミ板又は銅板から成り板厚が０．２７〜０．６ｍｍである金属板（１ｂ）が接着されている金属板付石膏ボード（１）がその四周を当接させた状態で該金属板（１ｂ）を屋内側に配して該鋼製柱（２）に至るタッピンビス（１ｃ）で固定されていると共に、
外壁用有機芯材入り金属パネル材（３）が、その隣接部分を当接された状態で、該鋼製柱（２）の屋外側面上に該鋼製柱（２）に至るタッピンビス（３ａ）で、又は該鋼製柱（２）の屋外側面上に該鋼製柱（２）に至るタッピンビス（４ａ）で直接固定された取付け役物（４）を介して、固定されていることを特徴とする防火耐火性能に優れた外壁構造。
【請求項５】
鋼製柱（２）の屋内側面上に、石膏ボード（１ａ）の少なくとも片面に鋼板，アルミ板又は銅板から成り板厚が０．２７〜０．６ｍｍである金属板（１ｂ）が接着されている金属板付石膏ボード（１）がその四周を当接させた状態で該金属板（１ｂ）を屋内側に配して該鋼製柱（２）に至るタッピンビス（１ｃ）で固定されていると共に、
外壁用有機芯材入り金属パネル材（３）が、その隣接部分を当接された状態で、該鋼製柱（２）の屋外側面上に該鋼製柱（２）に直交して固定されている鋼製横胴縁（２ａ）の屋外側面上に該鋼製横胴縁（２ａ）に至るタッピンビス（３ａ）で、又は該鋼製柱（２）の屋外側面上に該鋼製柱（２）に直交して固定されている鋼製横胴縁（２ａ）の屋外側面上に該鋼製横胴縁（２ａ）に至るタッピンビス（４ａ）で直接固定された取付け役物（４）を介して、固定されていることを特徴とする防火耐火性能に優れた外壁構造。
【請求項６】
隣合う鋼製柱（２）の互いに対向する面に両端が固定されている該鋼製柱（２）と直交する鋼製横胴縁（２ａ）の屋内側面上及び／又は該鋼製柱（２）の屋内側面上に、石膏ボード（１ａ）の少なくとも片面に鋼板，アルミ板又は銅板から成り板厚が０．２７〜０．６ｍｍである金属板（１ｂ）が接着されている金属板付石膏ボード（１）がその四周を当接させた状態で該金属板（１ｂ）を屋内側に配して該鋼製横胴縁（２ａ）及び／又は該鋼製柱（２）に至るタッピンビス（１ｃ）で固定されていると共に、
外壁用有機芯材入り金属パネル材（３）が、その隣接部分を当接された状態で、該鋼製横胴縁（２ａ）及び／又は該鋼製柱（２）の屋外側面上に該鋼製横胴縁（２ａ）及び／又は該鋼製柱（２）に至るタッピンビス（３ａ）で、又は該鋼製横胴縁（２ａ）及び／又は該鋼製柱（２）の屋外側面上に該鋼製横胴縁（２ａ）及び／又は該鋼製柱（２）に至るタッピンビス（４ａ）で直接固定された取付け役物（４）を介して、固定されていることを特徴とする防火耐火性能に優れた外壁構造。
【請求項７】
金属板付石膏ボード（１，１）同士の水平当接部位（１ｄ）と外壁用有機芯材入り金属パネル材（３，３）同士の水平当接部位（３ｂ）とが少なくとも垂直方向に１０ｃｍ以上離れており、且つ金属板付石膏ボード（１，１）同士の垂直当接部位（１ｅ）と外壁用有機芯材入り金属パネル材（３，３）同士の垂直当接部位（３ｃ）とが鋼製柱（２）の投影面上に位置している請求項１，３，４又は６に記載の防火耐火性能に優れた外壁構造。
【請求項８】
金属板付石膏ボード（１，１）同士の水平当接部位（１ｄ）と外壁用有機芯材入り金属パネル材（３，３）同士の水平当接部位（３ｂ）とが鋼製横胴縁（２ａ）の投影面上に位置しており、且つ金属板付石膏ボード（１，１）同士の垂直当接部位（１ｅ）と外壁用有機芯材入り金属パネル材（３，３）同士の垂直当接部位（３ｃ）とが少なくとも水平方向に１０ｃｍ以上離れている請求項２，３又は６に記載の防火耐火性能に優れた外壁構造。
【請求項９】
金属板付石膏ボード（１，１）同士の垂直当接部位（１ｅ）が鋼製柱（２）の投影面上に位置しており、且つ外壁用有機芯材入り金属パネル材（３，３）同士の水平当接部位（３ｂ）が鋼製横胴縁（２ａ）の投影面上に位置している請求項３，５又は６に記載の防火耐火性能に優れた外壁構造。
【請求項１０】
外壁用有機芯材入り金属パネル材（３，３）同士の垂直当接部位（３ｃ）が鋼製柱（２）の投影面上に位置しており、且つ金属板付石膏ボード（１，１）同士の水平当接部位（１ｄ）が鋼製横胴縁（２ａ）の投影面上に位置している請求項９に記載の防火耐火性能に優れた外壁構造。
【請求項１１】
外壁用有機芯材入り金属パネル材（３）の有機芯材が、イソシアヌレート樹脂発泡体，フェノール樹脂発泡体又はウレタンフェノール樹脂発泡体より成る請求項１から１０までの何れか１項に記載の防火耐火性能に優れた外壁構造。
【請求項１２】
外壁用有機芯材入り金属パネル材（３）の有機芯材に、無機繊維ネット（３ｄ）が１〜３枚挿入されている請求項１から１１までの何れか１項に記載の防火耐火性能に優れた外壁構造。
【請求項１３】
外壁用有機芯材入り金属パネル材（３）の厚さが２５ｍｍ〜５０ｍｍである請求項１から１２までの何れか１項に記載の防火耐火性能に優れた外壁構造。
【請求項１４】
金属板付石膏ボード（１）が、石膏ボード（１ａ）の少なくとも片面に金属板（１ｂ）が１００℃以上の耐熱性を有する接着剤で接着されている金属板付石膏ボードである請求項１から１３までの何れか１項に記載の防火耐火性能に優れた外壁構造。
【発明の詳細な説明】
【０００１】
【産業上の利用分野】
本発明は、外壁用有機芯材入り金属パネル材と金属板が接着された金属板付石膏ボードとを使用する外壁構造に関するものであって、従来の外壁材として外壁用有機芯材入り金属パネル材を使用しただけの場合や、外壁材として外壁用有機芯材入り金属パネル材を使用しその屋内側に石膏ボードを使用した場合に比べて格段に防火耐火性能に優れた外壁構造に関するものである。
【０００２】
【従来の技術】
建築物の外壁構造として防火耐火性能を有する外壁構造が要求されている。この防火耐火性能を具備させる方法としては、外壁材自体に防火耐火性能を持たせる防火耐火外壁構造や、柱の屋外側に防火耐火性能を有したボードなどを張ってその上に外壁材を張る防火耐火外壁構造や、柱の屋内側に防火耐火性能を有したボードなどを張ると共に柱の屋外側に外壁材を張る防火耐火外壁構造等があった。
【０００３】
このような防火耐火外壁構造に使用される防火耐火性能を有するボードとしては、一般的には焼石膏に種々の添加物と水とを混練して乾燥させたものを芯材とする石膏ボードが用いられており、この石膏ボードは火災時に高温に曝されると、石膏ボードの芯材に含まれている石膏（ＣａＳＯ４・２Ｈ２Ｏ）が熱分解し、石膏の結晶水（３／２Ｈ２Ｏ）が蒸発して徐々に焼石膏（ＣａＳＯ４・１／２Ｈ２Ｏ）へと化学変化を起こし、この結晶水が水蒸気となって徐々に放出されることによって、石膏ボード自体の温度の上昇を遅らせると共に熱伝導を軽減させるのである。
【０００４】
このような石膏ボードを用いて防火耐火性能を具備させる方法としては、柱及び間柱、又は胴縁上に石膏ボードを張り、この石膏ボード上に胴縁を固定して更にこの固定した胴縁上に金属、或いは窯業系のサイディングボードから成る外壁材を張り、石膏ボードの持つ上記防火耐火性能により外壁構造として防火耐火性能を向上させるという方法があった（例えば、特許文献１参照。）。また、石膏ボードの両面又は片面に厚さが３０〜１００μｍの金属薄板を貼り、石膏ボードの防火耐火性能を高める方法もあった（例えば、特許文献２参照。）。
【０００５】
しかしながら、柱及び間柱、又は胴縁上に石膏ボードを張り、この石膏ボード上に胴縁を固定して更にこの固定した胴縁上に金属、或いは窯業系のサイディングボードから成る外壁材を張るという方法では、外壁の屋外側を実際の火災を想定し加熱した場合において、先ず外壁材が熱せられて外壁材自体の温度が上昇し、次いで胴縁→石膏ボード→柱及び間柱、又は胴縁が加熱される態様になっており、石膏ボードは外壁材側よりの輻射熱により熱せられるが、前記したように石膏ボードに含有されている石膏の結晶水が水蒸気となって徐々に放出されることにより暫らくは石膏ボード自体の温度を１００℃以下に抑えることを期待したものであるが、この方法では石膏ボードの外壁材側に可燃物である木材から成る胴縁が存在するので、石膏ボード自体の温度を１００℃以下に抑える効果が少なく、その結果石膏ボードに含まれている石膏は急激に結晶水が蒸発して殆ど焼石膏へと化学変化を起こして石膏ボードの温度は１００℃以上となり、そして石膏の結晶水の蒸発に伴って石膏ボードの体積が収縮すると共に石膏ボード自体が脆くなることから、石膏ボードに亀裂が生じたり、石膏ボードがその亀裂によって崩れ落ちたりするという欠点があった。そして、石膏ボードにこのように亀裂が生じたり、石膏ボード自体が崩れ落ちたりすると、その亀裂の隙間や崩れ落ちた部分より熱が屋外側から屋内側に急速に入り込み、屋内側で延焼が生じることになるという欠点もあった。
【０００６】
また、石膏ボードの両面又は片面に厚さが３０〜１００μｍの金属薄板を貼る方法では、この金属薄板を貼った石膏ボードそのものでは、意匠性が無く外壁材としては使用できないという欠点があった。そして、この金属薄板を貼った石膏ボードと外壁材とを併用した場合には、石膏ボードに含有されている石膏の結晶水が水蒸気となって徐々に放出されることにより暫らくは石膏ボード自体の温度を１００℃以下に抑える効果が期待できるが、やがて石膏の結晶水の蒸発に伴って石膏ボードの体積が収縮すると共に石膏ボード自体が脆くなって亀裂が生じる現象が発生する。しかしながら、この石膏ボードは貼った厚さが３０〜１００μｍの金属薄板により石膏ボードの亀裂による崩れ落ちを若干は防止できるが、この金属薄板が薄いため強度が弱くこの崩れ落ちを充分に支えきれずに崩れ落ちが進行してしまったり、更に崩れ落ちが進行すると金属薄板に穴が開いてしまいここから熱が入り込んでしまったりするという欠点もあった。
【０００７】
【特許文献１】
特公平７−１５２０７号公報
【特許文献２】
特開２００１−６２９５４号公報
【０００８】
【発明が解決しようとする課題】
本発明は、前記従来技術の欠点を解消し、外壁用有機芯材入り金属パネル材と金属板が接着された金属板付石膏ボードとを使用する外壁構造であって、格段に防火耐火性能に優れた外壁構造を提供することを課題とする。
【０００９】
【課題を解決するための手段】
本発明者らは前記課題を解決すべく鋭意研究の結果、石膏ボードが少なくともその片面に鋼板，アルミ板又は銅板から成り板厚が０．２７〜０．６ｍｍである金属板が接着されている金属板付石膏ボードであってこの金属板付石膏ボードがその金属板を屋内側に配して鋼製柱及び／又は鋼製横胴縁にタッピンビスで固定されていれば、金属板付石膏ボードが加熱された際に石膏ボードに亀裂が生じたり、石膏ボードがその亀裂によって崩れ落ちたりすることを最小限に抑えることができ、そしてこの金属板付石膏ボードをその四周を当接させた状態で固定すると共に外壁用有機芯材入り金属パネル材をその隣接部分を当接された状態で金属板付石膏ボードの屋外側に固定する外壁構造であれば、意匠性を損なうことがないと共に熱が屋外側から屋内側に急速に入り込んで屋内側の延焼が生じる現象を最小限に抑えることができる防火耐火性能に優れた外壁構造を得ることができることを究明して本発明を完成したのである。
【００１０】
そして、金属板付石膏ボードをその金属板を屋内側に配して鋼製柱の屋外側に固定する場合には、外壁用有機芯材入り金属パネル材を、
鋼製柱の屋外側面上にその鋼製柱に至るタッピンビスで固定された金属板付石膏ボードの屋外側面上に鋼製柱に至るタッピンビスで、又はその金属板付石膏ボードの屋外側面上にその鋼製柱に至るタッピンビスで固定された取付け役物を介して固定したり、
鋼製柱の屋外側面上にその鋼製柱に直交して固定されている鋼製横胴縁の屋外側面上にその鋼製横胴縁に至るタッピンビスで固定された金属板付石膏ボードの屋外側面上にその鋼製横胴縁に至るタッピンビスで、又はその金属板付石膏ボードの屋外側面上にその鋼製横胴縁に至るタッピンビスで固定された取付け役物を介して固定したり、
隣合う鋼製柱の互いに対向する面に両端が固定されているその鋼製柱と直交する鋼製横胴縁の屋外側面上及び／又はその鋼製柱の屋外側面上にその鋼製横胴縁及び／又はその鋼製柱に至るタッピンビスで固定された金属板付石膏ボードの屋外側面上にその鋼製横胴縁及び／又はその鋼製柱に至るタッピンビスで、又はその金属板付石膏ボードの屋外側面上にその鋼製横胴縁及び／又はその鋼製柱に至るタッピンビスで固定された取付け役物を介して固定したりすれば、
施工性を損なうことなく、様々な施工方法や様々な構造や種類の金属パネル材に対応できると共に防火耐火性能に優れた外壁構造を得ることができて好ましいことも究明したのである。
【００１１】
また金属板付石膏ボードを鋼製柱の屋内側に固定する場合には、
金属板付石膏ボードをその金属板を屋内側に配して鋼製柱の屋内側面上にその鋼製柱に至るタッピンビスで固定すると共に外壁用有機芯材入り金属パネル材を、その鋼製柱の屋外側面上にその鋼製柱に至るタッピンビスで、又はその鋼製柱の屋外側面上にその鋼製柱に至るタッピンビスで直接固定された取付け役物を介して固定したり、
金属板付石膏ボードをその金属板を屋内側に配して鋼製柱の屋内側面上にその鋼製柱に至るタッピンビスで固定すると共に外壁用有機芯材入り金属パネル材を、その鋼製柱の屋外側面上にその鋼製柱に直交して固定されている鋼製横胴縁の屋外側面上にその鋼製横胴縁に至るタッピンビスで、又はその鋼製柱の屋外側面上にその鋼製柱に直交して固定されているその鋼製横胴縁の屋外側面上にその鋼製横胴縁に至るタッピンビスで直接固定された取付け役物を介して固定したり、金属板付石膏ボードをその金属板を屋内側に配して隣合う鋼製柱の互いに対向する面に両端が固定されているその鋼製柱と直交する鋼製横胴縁の屋内側面上及び／又はその鋼製柱の屋内側面上にその鋼製横胴縁及び／又はその鋼製柱に至るタッピンビスで固定すると共に外壁用有機芯材入り金属パネル材を、その鋼製横胴縁及び／又はその鋼製柱の屋外側面上にその鋼製横胴縁及び／又はその鋼製柱に至るタッピンビスで、又はその鋼製横胴縁及び／又はその鋼製柱の屋外側面上にその鋼製横胴縁及び／又はその鋼製柱に至るタッピンビスで直接固定された取付け役物を介して固定したりすれば、
施工性を損なうことなく、様々な施工方法や様々な構造や種類の金属パネル材に対応できると共に防火耐火性能に優れた外壁構造を得ることができて好ましいことも究明したのである。
【００１２】
また、上記した各種外壁構造において、鋼製柱の屋外側面上に鋼製柱に直交して鋼製横胴縁が固定されている態様や隣合う鋼製柱の互いに対向する面にその鋼製柱と直交して鋼製横胴縁の両端が固定されている態様の場合には、有機芯材入り金属パネル材を縦張りする場合でも横張りする場合でもその施工が容易であることも究明したのである。
【００１３】
更に、金属板付石膏ボード同士の垂直当接部位が鋼製柱の投影面上に位置していたり、金属板付石膏ボード同士の水平当接部位が鋼製横胴縁の投影面上に位置していたり、外壁用有機芯材入り金属パネル材同士の垂直当接部位が鋼製柱の投影面上に位置していたり、外壁用有機芯材入り金属パネル材同士の水平当接部位が鋼製横胴縁の投影面上に位置していたりすると、金属板付石膏ボードや外壁用有機芯材入り金属パネル材を強固に固定できるので好ましいのである。また、金属板付石膏ボード同士の垂直当接部位と外壁用有機芯材入り金属パネル材の垂直当接部位とが少なくとも水平方向に１０ｃｍ以上離れていたり、金属板付石膏ボード同士の水平当接部位と外壁用有機芯材入り金属パネル材の水平当接部位とが少なくとも垂直方向に１０ｃｍ以上離れていたりすると、防火耐火性能が比較的弱い部位であるそれぞれの当接部位が直接重なることがないので、防火耐火性能が増して好ましてのである。
【００１４】
このような金属板付石膏ボードや外壁用有機芯材入り金属パネル材を強固に固定できる態様や、金属板付石膏ボードや外壁用有機芯材入り金属パネル材の防火耐火性能が比較的弱い部位であるそれぞれの当接部位が直接重なることがない態様との組合せとして、金属板付石膏ボード同士の水平当接部位と外壁用有機芯材入り金属パネル材同士の水平当接部位とが少なくとも垂直方向に１０ｃｍ以上離れており、且つ金属板付石膏ボード同士の垂直当接部位と外壁用有機芯材入り金属パネル材同士の垂直当接部位とが鋼製柱の投影面上に位置していたり、金属板付石膏ボード同士の水平当接部位と外壁用有機芯材入り金属パネル材同士の水平当接部位とが鋼製横胴縁の投影面上に位置しており、且つ金属板付石膏ボード同士の垂直当接部位と外壁用有機芯材入り金属パネル材同士の垂直当接部位とが少なくとも水平方向に１０ｃｍ以上離れていたり、金属板付石膏ボード同士の垂直当接部位が鋼製柱の投影面上に位置しており、且つ外壁用有機芯材入り金属パネル材同士の水平当接部位が鋼製横胴縁の投影面上に位置していたり、更にこの場合に外壁用有機芯材入り金属パネル材同士の垂直当接部位が鋼製柱の投影面上に位置しており、且つ金属板付石膏ボード同士の水平当接部位が鋼製横胴縁の投影面上に位置していたりする態様がある。
【００１５】
更に、外壁用有機芯材入り金属パネル材の有機芯材がイソシアヌレート樹脂発泡体，フェノール樹脂発泡体又はウレタンフェノール樹脂発泡体より成るものであれば、加熱された際に有機芯材が融解することなく有機芯材自体が炭化することにより有機芯材が所定位置より脱落し難いので、熱輻射等により防火耐火性能が急激に低下することがなく好ましく、また外壁用有機芯材入り金属パネル材の有機芯材に無機繊維ネットが１〜３枚挿入されていれば、有機芯材が加熱された際に融解したり、炭化して亀裂が生じたりすることによって所定位置から脱落するのを最小限に防止することができるので好ましいことも究明したのである。
【００１６】
更に、外壁用有機芯材入り金属パネル材の厚さが２５ｍｍ〜５０ｍｍであれば、外壁用有機芯材入り金属パネル材の防火耐火性能と経済性施工性とが両立して好ましく、また金属板付石膏ボードが、石膏ボードの少なくとも片面に金属板が１００℃以上の耐熱性を有する接着剤で接着されている金属板付石膏ボードであれば、金属板付石膏ボードの防火耐火性能が向上して好ましいことも究明したのである。
【００１７】
【発明の実施の態様】
以下、図面により本発明に係る防火耐火性能に優れた外壁構造について詳細に説明する。
図１は本発明に係る防火耐火性能に優れた外壁構造に使用する金属板付石膏ボードの構造例を示す断面説明図、図２は本発明に係る防火耐火性能に優れた外壁構造において金属板付石膏ボードを鋼製柱の屋外側に固定した状態例を示す側断面説明図、図３は本発明に係る防火耐火性能に優れた外壁構造の１実施例における施工状態を示す斜視説明図、図４は図３の防火耐火性能に優れた外壁構造を示す側断面説明図、図５は取付け役物を使用した本発明に係る防火耐火性能に優れた外壁構造の他の実施例における施工状態を示す斜視説明図、図６は図５の防火耐火性能に優れた外壁構造を示す側断面説明図、図７は本発明に係る防火耐火性能に優れた外壁構造の更に他の実施例における施工状態を示す斜視説明図、図８は図７の防火耐火性能に優れた外壁構造を示す側断面説明図、図９は取付け役物を使用した本発明に係る防火耐火性能に優れた外壁構造の更に他の実施例における施工状態を示す斜視説明図、図１０は図９の防火耐火性能に優れた外壁構造を示す側断面説明図、図１１は本発明に係る防火耐火性能に優れた外壁構造の更に他の実施例における施工状態を示す斜視説明図、図１２は本発明に係る防火耐火性能に優れた外壁構造の更に他の実施例における施工状態を示す斜視説明図、図１３は本発明に係る防火耐火性能に優れた外壁構造の更に他の実施例における施工状態を示す斜視説明図、図１４は図１３の防火耐火性能に優れた外壁構造を示す側断面説明図、図１５は本発明に係る防火耐火性能に優れた外壁構造の更に他の実施例における施工状態を示す斜視説明図、図１６は本発明に係る防火耐火性能に優れた外壁構造の更に他の実施例における施工状態を示す斜視説明図、図１７は本発明に係る防火耐火性能に優れた外壁構造に使用する有機芯材に無機繊維ネットが挿入されている外壁用有機芯材入り金属パネル材の構造の１例を示す断面説明図、図１８は実施例及び比較例の外壁構造に対して有機芯材入り金属パネル材の屋外側から加熱した温度曲線を示す図、図１９は実施例１〜３，比較例１〜２の外壁構造における石膏ボードの屋内側面の温度変化を示す図、図２０は実施例４〜５及び比較例３の外壁構造における石膏ボードの屋内側面の温度変化を示す図である。
【００１８】
図面中、１は石膏ボード１ａの少なくとも片面に鋼板，アルミ板又は銅板から成り板厚が０．２７〜０．６ｍｍである金属板１ｂが接着剤で接着されており、その四周を当接させた状態で金属板１ｂを屋内側に配して後述する鋼製柱２及び／又は鋼製横胴縁２ａに至るタッピンビス１ｃで固定される金属板付石膏ボードであり、この石膏ボード１ａとしては一般に市販されているＪＩＳ　Ａ６９０１「せっこうボード製品」で規定されている「主原料のせっこうを芯としてその両面及び長さ方向（形成時の流れ方向）の側面をせっこうボード用原紙で被覆されたもの」が好ましく使用できるが、せっこうボード用原紙が被覆されていないものであってもよい。尚、図示した各実施例ではせっこうボード用原紙は省略した。
【００１９】
この石膏ボード１ａの少なくとも片面に接着される金属板１ｂは、金属板付石膏ボード１が加熱された際に石膏ボード１ａが収縮することにより石膏ボード１ａに亀裂が生じてその亀裂によって崩れ落ちたりしないように石膏ボード１ａを支持して、石膏ボード１ａの崩れ落ちを最小限に抑える役目を果たすものであり、この金属板１ｂとしては、鋼板，アルミ板又は銅板の何れから成るものであっても、強度及び防火耐火性の観点よりその板厚が０．２７ｍｍ以上のものであることが必要があり、また金属板付石膏ボード１の全体の重量の軽量化の観点より０．６ｍｍ以下のものであることが必要である。
【００２０】
また、この金属板１ｂを石膏ボード１ａの少なくとも片面に接着する接着剤としては、金属板１ｂと石膏ボード１ａとを接着させることができる性質を有する接着剤であれば何でもよいが、この接着剤が１００℃以上の耐熱性を有する接着剤であれば、金属板付石膏ボード１の防火耐火性能が向上して好ましい。そして、１００℃以上の耐熱性を有する接着剤としては、珪酸アルカリ水溶液系接着剤，ポリベンズイミダゾール樹脂系接着剤，ポリイミド樹脂系接着剤等の耐熱性を有する接着剤が好ましく使用される。
【００２１】
このような接着剤によって石膏ボード１ａの少なくとも片面に金属板１ｂを接着して金属板付石膏ボード１を形成する際には、図１（ａ）に示す如く石膏ボード１の片面のみを覆うように平板状の金属板１ｂを接着することによって金属板付石膏ボード１を形成してもよいが、図１（ｂ）及び（ｃ）に示す如く石膏ボード１ａの四周の端縁部の一部又は全体が覆われるようにその四周の端部を折り曲げられた金属板１ｂを接着することによって金属板付石膏ボード１を形成すれば、金属板付石膏ボード１全体の防火耐火性能及び強度が増して好ましい。
【００２２】
２は金属板付石膏ボード１，それぞれ後述する外壁用有機芯材入り金属パネル材３，取付け役物４，鋼製横胴縁２ａ等が固定される鋼製柱であって、Ｈ型鋼，角型鋼，Ｃ型鋼等が使用される。この鋼製柱２は、固定される部材の中で通常は単位面積当たりの重量が重い金属板付石膏ボード１の幅に合わせて立設されていることが好ましい。
【００２３】
３はその隣接部分を当接された状態で固定されている外壁用有機芯材入り金属パネル材であって、金属板１ｂを屋内側に配してその四周を当接させた状態で屋内側に固定された金属板付石膏ボード１と共同して、熱が屋外側から屋内側に急速に入り込んで屋内側の延焼が生じる現象を最小限に抑える役目を果たす。
【００２４】
この外壁用有機芯材入り金属パネル材３としては、発泡有機系樹脂が芯材として使用されている金属サイディングや金属サンドイッチパネル等が用いられ、そしてこの有機芯材入り金属パネル材３の四周の端縁部の形状は嵌合部が存在しないフラットな端縁部であってもよいが、この四周の端縁部に上下及び／又は左右に隣接する有機芯材入り金属パネル材３と係合するための嵌合部が形成されていたり、後述する取付け役物４と係合できるように形成されていたりすれば、施工性が良くなるので好ましい。
【００２５】
そして、この外壁用有機芯材入り金属パネル材３の有機芯材としては、ウレタン樹脂発泡体やポリスチレン樹脂発泡体等の加熱された際に融解する樹脂発泡体より成るものであってもよいが、イソシアヌレート樹脂発泡体，フェノール樹脂発泡体又はウレタンフェノール樹脂発泡体より成るものであれば、加熱された際に融解することなく有機芯材自体が炭化することにより、有機芯材が所定位置より脱落し難いので、熱輻射等により防火耐火性能が急激に低下することがなく好ましい。また、この外壁用有機芯材入り金属パネル材３の有機芯材に、図１７に示す如く無機繊維ネット３ｄが１〜３枚挿入されていれば、有機芯材が加熱された際に融解したり、炭化して亀裂が生じたりすることによって所定位置から脱落するのを最小限に防止することができるので、外壁用有機芯材入り金属パネル材３の防火耐火性能が更に向上して好ましい。
【００２６】
また、外壁用有機芯材入り金属パネル材３の厚さは、２５ｍｍ未満であると加熱により融解したり炭化して亀裂が生じたりした場合に亀裂等が早期に反対面にまで達して防火耐火性能上好ましくなく、また５０ｍｍを超えると製造コストが増すと共に重量が増して経済性及び施工性が悪化してしまうので、外壁用有機芯材入り金属パネル材３の厚さは２５ｍｍ〜５０ｍｍであることが好ましい。
【００２７】
４は鋼製柱２の屋外側面上及び／又は鋼製横胴縁２ａの屋外側面上に固定された金属板付石膏ボード１の屋外側面上に鋼製柱２及び／又は鋼製横胴縁２ａに至るタッピンビス４ａで固定されたり、金属板付石膏ボード１が鋼製柱２の屋内側面上及び／又は鋼製横胴縁２ａの屋内側面上に固定されている場合に鋼製柱２及び／又は鋼製横胴縁２ａの屋外側面上に鋼製柱２及び又は鋼製横胴縁２ａに至るタッピンビス４ａで直接固定されていたりする取付け役物であって、固定される外壁用有機芯材入り金属パネル材３がこの取付け役物４と係合できるように形成されている場合に用いられる。
【００２８】
そして、このような各構成部材を用いて外壁用有機芯材入り金属パネル材３を固定する態様としては、金属板付石膏ボード１がその金属板１ｂを屋内側に配して鋼製柱２の屋外側に固定される場合には、鋼製柱２の屋外側面上にその鋼製柱２に至るタッピンビス１ｃで固定された金属板付石膏ボード１の屋外側面上に、外壁用有機芯材入り金属パネル材３を図３及び図４に示す如くその鋼製柱２に至るタッピンビス３ａで、又は図５及び図６に示す如くその金属板付石膏ボード１の屋外側面上にその鋼製柱２に至るタッピンビス４ａで固定された取付け役物４を介して固定する態様（以下、「第１態様」ということがある請求項１に対応した態様である）がある。
この第１態様は、外壁用有機芯材入り金属パネル材３をその長手方向を水平にして固定する場合において好ましい。そして、第１態様の場合に使用される外壁用有機芯材入り金属パネル材３は、通常は金属板付石膏ボード１よりも外壁用有機芯材入り金属パネル材３の方が単位面積当たりの重さが軽いので、その長手方向の長さが鋼製柱２が立設される間隔の整数倍の長さに形成されていれば、施工性を損なうことなく経済的であるので好ましい。
【００２９】
また、鋼製柱２の屋外側面上にその鋼製柱２に直交して固定されている鋼製横胴縁２ａの屋外側面上にその鋼製横胴縁２ａに至るタッピンビス１ｃで固定された金属板付石膏ボード１の屋外側面上に、外壁用有機芯材入り金属パネル材３を図７，図８及び図１１に示す如くその鋼製横胴縁２ａに至るタッピンビス３ａで、又は図９，図１０に示す如く金属板付石膏ボード１の屋外側面上にその鋼製横胴縁２ａに至るタッピンビス４ａで固定された取付け役物４を介して固定する態様（以下、「第２態様」ということがある請求項２に対応した態様である）がある。
この第２態様は、外壁用有機芯材入り金属パネル材３をその長手方向を垂直にして固定する場合において好ましい。これは、前記第１態様において外壁用有機芯材入り金属パネル材３をその長手方向を垂直にして固定することも可能であるが、この場合には鋼製柱２が立設される間隔を外壁用有機芯材入り金属パネル材３の幅方向の長さにしなければ外壁用有機芯材入り金属パネル材３を鋼製柱２に至るタッピンビス３ａ等で固定することができないので、固定される外壁用有機芯材入り金属パネル材３の幅方向の長さが短いければ短い程、鋼製柱２の本数を増やさなければならならず不経済であるが、この第２態様の場合には、外壁用有機芯材入り金属パネル材３は鋼製柱２の屋外側面上にその鋼製柱２に直交して固定されている鋼製横胴縁２ａの屋外側面上にその鋼製横胴縁２ａに至るタッピンビス３ａ等で固定されるので、外壁用有機芯材入り金属パネル材３の幅方向の長さや鋼製柱２が立設される間隔に関係なく外壁用有機芯材入り金属パネル材３をその長手方向を垂直にして固定することができるからである。
【００３０】
更に、隣合う鋼製柱２の互いに対向する面に両端が固定されているその鋼製柱２と直交する鋼製横胴縁２ａの屋外側面上及び／又はその鋼製柱２の屋外側面上にその鋼製横胴縁２ａ及び／又はその鋼製柱２に至るタッピンビス１ｃで固定された金属板付石膏ボード１の屋外側面上に、外壁用有機芯材入り金属パネル材３を図１２に示す如くその鋼製横胴縁２ａ及び／又はその鋼製柱２に至るタッピンビス３ａで、又は図示しないがその金属板付石膏ボード１の屋外側面上にその鋼製横胴縁２ａ及び／又はその鋼製柱２に至るタッピンビス４ａで固定された取付け役物４を介して固定したりする態様（以下、「第３態様」ということがある請求項３に対応した態様である）がある。
この第３態様は、外壁用有機芯材入り金属パネル材３をその長手方向を水平にして固定する場合のみならず外壁用有機芯材入り金属パネル材３をその長手方向を垂直にして固定する場合にも、外壁用有機芯材入り金属パネル材３を固定する際の施工性を損なうことなく対応することができて好ましい。そして、この第３態様において、隣合う鋼製柱２の互いに対向する面にその鋼製柱２と直交して両端が固定されている鋼製横胴縁２ａの屋外側面は、鋼製柱２の屋外側面よりも屋内側又は屋外側に位置していてもよいが、図１２に示す如く鋼製横胴縁２ａの屋外側面と鋼製柱２の屋外側面とが同一平面上に一致して形成されていれば、金属板付石膏ボード１や外壁用有機芯材入り金属パネル材３をより安定して固定することができるので好ましい。
【００３１】
また、金属板付石膏ボード１が鋼製柱２の屋内側に固定される場合には、図１３及び図１４に示す如く金属板付石膏ボード１をその金属板１ｂを屋内側に配して鋼製柱２の屋内側面上にその鋼製柱２に至るタッピンビス１ｃで固定すると共に外壁用有機芯材入り金属パネル材３をその鋼製柱２の屋外側面上にその鋼製柱２に至るタッピンビス３ａで、又は図示しないがその鋼製柱２の屋外側面上にその鋼製柱２に至るタッピンビス４ａで直接固定された取付け役物４を介して固定する態様（以下、「第４態様」ということがある請求項４に対応した態様である）がある。
この第４態様は、第１態様と同様に外壁用有機芯材入り金属パネル材３をその長手方向を水平にして固定する場合において好ましい。
【００３２】
また、図１５に示す如く金属板付石膏ボード１をその金属板１ｂを屋内側に配して鋼製柱２の屋内側面上にその鋼製柱２に至る図示しないタッピンビス１ｃで固定すると共に外壁用有機芯材入り金属パネル材３をその鋼製柱２の屋外側面上にその鋼製柱２に直交して固定されている鋼製横胴縁２ａの屋外側面上にその鋼製横胴縁２ａに至るタッピンビス３ａで、又は図示しないがその鋼製柱２の屋外側面上にその鋼製柱２に直交して固定されているその鋼製横胴縁２ａの屋外側面上にその鋼製横胴縁２ａに至るタッピンビス４ａで直接固定された取付け役物４を介して固定する態様（以下、「第５態様」ということがある請求項５に対応した態様である）がある。
この第５態様は、第２態様と同様に外壁用有機芯材入り金属パネル材３をその長手方向を垂直にして固定する場合において好ましい。
【００３３】
更に、図１６に示す如く金属板付石膏ボード１をその金属板１ｂを屋内側に配して隣合う鋼製柱２の互いに対向する面に両端が固定されているその鋼製柱２と直交する鋼製横胴縁２ａの屋内側面上及び／又はその鋼製柱２の屋内面上にその鋼製横胴縁２ａ及び／又はその鋼製柱２に至る図示しないタッピンビス１ｃで固定すると共に外壁用有機芯材入り金属パネル材３をその鋼製横胴縁２ａ及び／又はその鋼製柱２の屋外側面上にその鋼製横胴縁２ａ及び／又はその鋼製柱２に至るタッピンビス３ａで、又は図示しないがその鋼製横胴縁２ａ及び／又はその鋼製柱２の屋外側面上にその鋼製横胴縁２ａ及び／又はその鋼製柱２に至るタッピンビス４ａで直接固定された取付け役物４を介して固定したりする態様（以下、「第６態様」ということがある請求項６に対応した態様である）がある。
この第６態様は、第３態様と同様に外壁用有機芯材入り金属パネル材３をその長手方向を水平にして固定する場合のみならず外壁用有機芯材入り金属パネル材３をその長手方向を垂直にして固定する場合にも、外壁用有機芯材入り金属パネル材３を固定する際の施工性を損なうことなく対応することができて好ましい。そして、この第６態様において、隣合う鋼製柱２の互いに対向する面にその鋼製柱２と直交して両端が固定されている鋼製横胴縁２ａの屋外側面は、鋼製柱２の屋外側面よりも屋内側又は屋外側に位置していてもよく、また隣合う鋼製柱２の互いに対向する面にその鋼製柱２と直交して両端が固定されている鋼製横胴縁２ａの屋内側面も、鋼製柱２の屋内側面よりも屋内側又は屋外側に位置していてもよいが、鋼製横胴縁２ａの屋外側面と鋼製柱２の屋外側面とが同一平面上に一致して形成されていたり、鋼製横胴縁２ａの屋内側面と鋼製柱２の屋内側面とが同一平面上に一致して形成されていたりすれば、それぞれの面に固定される金属板付石膏ボード１や外壁用有機芯材入り金属パネル材３をより安定して固定することができるので好ましい。
【００３４】
このような各種態様の本発明に係る防火耐火性能に優れた外壁構造は、最も屋外側に外壁用有機芯材入り金属パネル材３が配される構造であるので、屋外側の意匠性が高いばかりでなく外壁用有機芯材入り金属パネル材３の内外面が金属製であるので外壁構造全体の防火耐火性能も高い。
【００３５】
そして、このような本発明に係る防火耐火性能に優れた外壁構造の第１態様や第３態様や第４態様や第６態様において、図３及び図１３に示す如く金属板付石膏ボード１，１同士の水平当接部位１ｄと外壁用有機芯材入り金属パネル材３，３同士の水平当接部位３ｂとが少なくとも垂直方向に１０ｃｍ以上離れており且つ金属板付石膏ボード１，１同士の垂直当接部位１ｅと外壁用有機芯材入り金属パネル材３，３同士の垂直当接部位３ｃとが鋼製柱２の投影面上に位置していれば、防火耐火性能が比較的弱い部位であるそれぞれの当接部位が直接重なることがないので防火耐火性能が増して好ましい。
【００３６】
また第２態様や第３態様や第６態様において、図１１及び図１６に示す如く金属板付石膏ボード１，１同士の水平当接部位１ｄと外壁用有機芯材入り金属パネル材３，３同士の水平当接部位３ｂとが鋼製横胴縁２ａの投影面上に位置しており且つ金属板付石膏ボード１，１同士の垂直当接部位１ｅと外壁用有機芯材入り金属パネル材３，３同士の垂直当接部位３ｃとが少なくとも水平方向に１０ｃｍ以上離れていれば、同様に防火耐火性能が比較的弱い部位であるそれぞれの当接部位が直接重なることがないので防火耐火性能が増して好ましい。
【００３７】
更に第３態様や第５態様や第６態様において、図１５に示す如く金属板付石膏ボード１，１同士の垂直当接部位１ｅが鋼製柱２の投影面上に位置しており且つ外壁用有機芯材入り金属パネル材３，３同士の水平当接部位３ｂが鋼製横胴縁２ａの投影面上に位置していれば、同様に防火耐火性能が比較的弱い部位であるそれぞれの当接部位が直接重なることがないので防火耐火性能が増して好ましく、更にこの態様において、図１２に示す如く外壁用有機芯材入り金属パネル材３，３同士の垂直当接部位３ｃが鋼製柱２の投影面上に位置しており且つ金属板付石膏ボード１，１同士の水平当接部位１ｄが鋼製横胴縁２ａの投影面上に位置していたりすれば、外壁用有機芯材入り金属パネル材３や金属板付石膏ボード１の固定が強固となるので好ましい。
【００３８】
このように上記各態様において、金属板付石膏ボード１，１同士の水平当接部位１ｄと外壁用有機芯材入り金属パネル材３，３同士の水平当接部位３ｂ、及び金属板付石膏ボード１，１同士の垂直当接部位１ｅと外壁用有機芯材入り金属パネル材３，３同士の垂直当接部位３ｃが、それぞれ鋼製柱２や鋼製横胴縁２ａの投影面上に位置するか、又は水平方向若しくは垂直方向に１０ｃｍ以上離れているから、防火耐火性能が比較的弱い部位であるそれぞれの当接部位が直接重なることがないので、防火耐火性能が増して好ましい。
【００３９】
このような各種態様の本発明に係る防火耐火性能に優れた外壁構造の施工方法について説明する。
初めに、金属板付石膏ボード１が鋼製柱２の屋外側に固定される態様について説明する。
先ず、鋼製柱２のみで構成されている第１態様の場合（鋼製横胴縁２ａが設けられていない場合）には、その鋼製柱２の屋外側面上に金属板付石膏ボード１をその四周を当接させた状態で金属板１ｂを屋内側に配して、その鋼製柱２に至るタッピンビス１ｃで固定した後に、外壁用有機芯材入り金属パネル材３をその隣接部分を当接させた状態で固定された金属板付石膏ボード１の屋外側面上に、図３及び図４に示す如く金属板付石膏ボード１を貫通して鋼製柱２に至るタッピンビス３ａで、又は図５及び図６に示す如く金属板付石膏ボード１を貫通して鋼製柱２に至るタッピンビス４ａで固定された取付け役物４を介して固定する。
【００４０】
また、鋼製柱２の屋外側面上にその鋼製柱２に直交して固定されている鋼製横胴縁２ａがある第２態様の場合には、その鋼製横胴縁２ａの屋外側面上に金属板付石膏ボード１をその四周を当接させた状態で金属板１ｂを屋内側に配して、鋼製横胴縁２ａの屋外側面上にその鋼製横胴縁２ａに至るタッピンビス１ｃで固定した後に、外壁用有機芯材入り金属パネル材３をその隣接部分を当接させた状態で固定された金属板付石膏ボード１の屋外側面上に、図７及び図８に示す如く金属板付石膏ボード１を貫通して鋼製横胴縁２ａに至るタッピンビス３ａで、又は図９に示す如く金属板付石膏ボード１を貫通して鋼製横胴縁２ａに至るタッピンビス４ａで固定された取付け役物４を介して固定する。
【００４１】
また、隣合う鋼製柱２の互いに対向する面に両端が固定されているその鋼製柱２と直交する鋼製横胴縁２ａがある第３態様の場合には、その鋼製横胴縁２ａの屋外側面上及び／又は鋼製柱２の屋外側面上に金属板付石膏ボード１をその四周を当接させた状態で金属板１ｂを屋内側に配して、その鋼製横胴縁２ａ及び／又は鋼製柱２に至るタッピンビス１ｃで固定した後に、外壁用有機芯材入り金属パネル材３をその隣接部分を当接させた状態で固定された金属板付石膏ボード１の屋外側面上に、図１２に示す如く金属板付石膏ボード１を貫通して鋼製横胴縁２ａ及び／又は鋼製柱２に至るタッピンビス３ａで、又は図示しないが金属板付石膏ボード１を貫通して鋼製横胴縁２ａ及び／又は鋼製柱２に至るタッピンビス４ａで固定された取付け役物４を介して固定する。
【００４２】
そして、これら第１態様，第２態様や第３態様において金属板付石膏ボード１を固定する際、金属板付石膏ボード１が図１（ｃ）に示す如く石膏ボード１ａの四周の端縁部の一部が覆われるようにその四周の端部を折り曲げられた金属板１ｂが接着されて形成されている場合には、図２（ａ）に示す如く隣接して当接される金属板付石膏ボード１，１間に金属板１ｂが短い分だけ隙間が生じるが、固定された金属板付石膏ボード１，１間の屋内側には隙間が生じないのでこの状態でもよいが、図２（ｂ）に示す如くこの隙間を閉塞するように耐熱性を有するテープ１ｆを貼り付けたり、また図２（ｃ）に示す如くこの隙間を閉塞するように耐熱性を有するコーキング材１ｇを注入したりすれば、更に防火耐火性能が増すので好ましい。また、図１（ａ）及び図１（ｂ）に示すような端縁部がフラットな形状である金属板付石膏ボード１，１を当接させた場合においては、前記図２（ａ）の如き隙間は生じないが、このような金属板付石膏ボード１，１が当接された部位にも、耐熱性を有するテープ１ｆを貼り付ければ、更に防火耐火性能が増すので好ましい。尚、耐熱性を有するテープ１ｆを貼り付ける場合には、図示しないが金属板１ｂ側に貼り付けてもよい。
【００４３】
次に、金属板付石膏ボード１が鋼製柱２の屋内側に固定される態様について説明する。
先ず、鋼製柱２のみで構成されている第４態様の場合（鋼製横胴縁２ａが設けられていない場合）には、図１３及び図１４に示す如くその鋼製柱２の屋内側面上に金属板付石膏ボード１をその四周を当接させた状態で金属板１ｂを屋内側に配して、その鋼製柱２に至るタッピンビス１ｃで固定し、有機芯材入り金属パネル材３をその隣接部分を当接された状態で鋼製柱２の屋外側面上に鋼製柱２に至るタッピンビス３ａで、又は図示しないが鋼製柱２の屋外側面上に鋼製柱２に至るタッピンビス４ａで直接固定された取付け役物４を介して固定する。
【００４４】
また、鋼製柱２の屋外側面上にその鋼製柱２に直交して固定されている鋼製横胴縁２ａがある第５態様の場合には、その鋼製柱２の屋内側面上に金属板付石膏ボード１をその四周を当接させた状態で金属板１ｂを屋内側に配して、その鋼製柱２に至る図示しないタッピンビス１ｃで固定し、有機芯材入り金属パネル材３をその隣接部分を当接された状態で図１５に示す如く鋼製横胴縁２ａの屋外側面上に鋼製横胴縁２ａに至るタッピンビス３ａで、又は図示しないが鋼製横胴縁２ａの屋外側面上に鋼製横胴縁２ａに至るタッピンビス４ａで直接固定された取付け役物４を介して固定する。
【００４５】
また、隣合う鋼製柱２の互いに対向する面に両端が固定されているその鋼製柱２と直交する鋼製横胴縁２ａがある第６態様の場合には、図１６に示す如くその鋼製横胴縁２ａの屋内側面上及び／又は鋼製柱２の屋内側面上に金属板付石膏ボード１をその四周を当接させた状態で金属板１ｂを屋内側に配して、その鋼製横胴縁２ａ及び／又は鋼製柱２に至る図示しないタッピンビス１ｃで固定し、有機芯材入り金属パネル材３をその隣接部分を当接された状態で鋼製横胴縁２ａの屋外側面上及び／又は鋼製柱２の屋外側面上に鋼製横胴縁２ａ及び／又は鋼製柱２に至るタッピンビス３ａで、又は図示しないが鋼製横胴縁２ａの屋外側面上及び／又は鋼製柱２の屋外側面上に鋼製横胴縁２ａ及び／又は鋼製柱２に至るタッピンビス４ａで直接固定された取付け役物４を介して固定する。
【００４６】
そして、これら第４態様，第５態様や第６態様において金属板付石膏ボード１を固定する際、前記したように金属板付石膏ボード１，１間に図２（ａ）に示すような隙間が生じた場合には、図２（ｂ）に示すような耐熱性を有するテープ１ｆを貼り付けたり、図２（ｃ）に示すような耐熱性を有するコーキング材１ｇを注入したりしてその隙間を閉塞してもよく、また金属板付石膏ボード１，１間に隙間が生じない場合であっても、隣接する金属板付石膏ボード１同士の当接している部位に耐熱性を有するテープ１ｆを貼り付けたりしてもよい。
【００４７】
かくして、様々な態様の本発明に係る防火耐火性能に優れた外壁構造が施工され、そしてこのように施工される本発明に係る防火耐火性能に優れた外壁構造は施工性に優れていると共に様々な構造や種類の金属パネル材を横張りする場合にも縦張りする場合にも対応できるのである。
【００４８】
【実施例】
次に、実施例及び比較例によって更に本発明に係る防火耐火性能に優れた外壁構造について説明する。
先ず、実施例１として幅９１０ｍｍ，高さ１，８２０ｍｍ，厚さ１２．５ｍｍの石膏ボード１ａ（商品名：タイガーボードＴＢ，吉野石膏社製）の片面に厚さ０．２７ｍｍの鋼板から成る金属板１ｂをクロロプレン系接着剤（商品名：ダイヤボンド　ＤＣ６００９，ＳＰ，ノガワケミカル社製）で接着した。この際、石膏ボード１ａの四周の端縁部の一部が覆われるようにその四周の端部を折り曲げられた金属板１ｂを接着することによって図１（ｃ）に示したような金属板付石膏ボード１を形成した。また、外壁用有機芯材入り金属パネル材３としては、有機芯材がイソシアヌレート樹脂発泡体より成るものであって、上縁部及び下縁部にそれぞれ嵌合部を有した金属サンドイッチパネルから成り厚さが２５ｍｍのもの（商品名：月星タイトパネル，日新総合建材社製）を使用した。そして、前記金属板付石膏ボード１を図２（ａ）に示すように金属板１ｂを屋内側に配して鋼製柱２の屋外側面上に鋼製柱２に至るタッピンビス１ｃで固定すると共に、この固定された金属板付石膏ボード１の屋外側面上に前記外壁用有機芯材入り金属パネル材３を鋼製柱２に至るタッピンビス３ａで固定した。この際、金属板付石膏ボード１，１同士の水平当接部位１ｄと外壁用有機芯材入り金属パネル材３，３同士の水平当接部位３ｂとは垂直方向で同一高さにあり、且つ金属板付石膏ボード１，１同士の垂直当接部位１ｅと外壁用有機芯材入り金属パネル材３，３同士の垂直当接部位３ｃとが鋼製柱２の投影面上に位置するように金属板付石膏ボード１と有機芯材入り金属パネル材３とを固定した。
【００４９】
実施例２として、外壁用有機芯材入り金属パネル材２として有機芯材にガラス繊維ネットより成る無機繊維ネット３ｄが１枚挿入されたものを使用した以外は、実施例１と同様のものとした。
【００５０】
実施例３として、金属板付石膏ボード１，１同士の水平当接部位１ｄと外壁用有機芯材入り金属パネル材３，３同士の水平当接部位３ｂとが垂直方向に１０ｃｍ離れるように固定した以外は、実施例１と同様のものとした。
【００５１】
一方比較例１として、金属板が存在していない前記実施例１と同じ石膏ボード１ａを使用した以外は実施例１と同様ものとした。
【００５２】
また比較例２として、前記実施例１と同じ石膏ボードの片面に厚さ１００μｍの鋼板を図１（ｃ）に示す如く石膏ボードの四周の端縁部の一部が覆われるようにその四周の端部を折り曲げて前記接着剤で接着され石膏ボード１ａを使用した以外は実施例１と同様ものとした。
【００５３】
このような実施例１〜３，比較例１〜２の外壁構造に対して、外壁用有機芯材入り金属パネル材３の屋外側から図１８に示すような温度曲線で加熱して、加熱側の反対側となる石膏ボードの屋内側の面（実施例１〜３及び比較例２では金属板の屋内側の面、比較例１では石膏ボードの屋内側の面）の温度を測定する防火耐火性能試験を行った。この防火耐火性能試験の結果を、加熱側の反対側となる石膏ボードの屋内側の面の最大温度の経時変化を図１９に示す。
【００５４】
金属板が存在していない石膏ボードである比較例１は、加熱開始後２０分で急激な温度上昇が認められ、そして石膏ボードの一部には亀裂が生じた部位が認められ、更に石膏ボード自体が崩れ落ちた部位も認められた。このように石膏ボード自体が崩れ落ちる現象が発生すると、実建築物件での屋外側の火災を想定した場合に、仮りにこの石膏ボード自体が崩れ落ちた部位の付近の屋内側に可燃物があったとすれば、その可燃物は発火し屋内側での火災が起きる危険性が高いのである。
【００５５】
また、石膏ボードの片面に厚さ１００μｍの鋼板を接着した石膏ボードである比較例２は、加熱開始後２５分で急激な温度上昇が認められた。そして、前記比較例１と同様に石膏ボードの一部には亀裂が生じた部位が認められ、更に石膏ボード自体が崩れ落ちた部位も認められた。また、石膏ボード自体が崩れ落ちた部位は、外壁用有機芯材入り金属パネル材３，３同士の水平当接部位３ｂの位置に対応する部位であり、この水平当接部位３ｂは最も防火耐火性能に弱い部位であるのでこの部位で石膏ボードの崩れ落ちが発生したのではないかと考えられる。また、この比較例２では前記比較例１よりも若干の効果があったが、鋼板の厚さが１００μｍと薄いために剛性及び強度が弱く石膏ボードに崩れ落ちが起きると同時に、その衝撃により鋼板に穴が開くという現象も認められた。
【００５６】
これに対し、石膏ボード１ａの片面に厚さ０．２７ｍｍの鋼板から成る金属板１ｂが接着されている金属板付石膏ボード１である実施例１は、加熱開始４５分後に急激な温度上昇が認められた。これは石膏ボード１ａ中に含まれている石膏の水が蒸発して殆ど焼石膏へと化学変化を起こして石膏の結晶水の冷却作用が無くなった後に、石膏ボード１ａの一部には亀裂が生じたり、更に石膏ボード１ａ自体が崩れ落ちたりする部位が発生しなかったためである。そして、石膏ボード１ａの片面に厚さ１００μｍの鋼板を接着された石膏ボードである比較例２のように鋼板に穴が開かなかった。これは、実施例１の金属板付石膏ボード１の厚さ０．２７ｍｍという板厚の厚い鋼板１ｂにより石膏ボード１ａの崩れ落ちが防止されると共に穴あきが防止されたことに起因していると考えられる。
【００５７】
また、実施例２は加熱開始５０分後に急激な温度上昇が認められた。これは外壁用有機芯材入り金属パネル材３の有機芯材に無機繊維ネット３ｄが１枚挿入されていることにより、イソシアヌレート樹脂発泡体より成る有機芯材には加熱により炭化し収縮して亀裂が生じたものの、この有機芯材に挿入されている無機繊維ネット３ｄによりその亀裂の進行が抑制され有機芯材が所定位置から脱落するのを最小限に防止したために、屋外側から屋内側へ熱が伝わるのを緩和させたことに起因すると考えられる。
【００５８】
更に、実施例３は加熱開始５５分近くまで急激な温度上昇は認められなかった。これは、最も防火耐火性能に弱い部位である金属板付石膏ボード１，１同士の水平当接部位１ｄと外壁用有機芯材入り金属パネル３，３同士の水平当接部位３ｂとが垂直方向に１０ｃｍ離れるように固定されているために、屋外側から屋内側へ熱が伝わり難くなったことに起因すると考えられる。
【００５９】
このように本発明に係る防火耐火性能に優れた外壁構造である実施例１〜３の場合は、石膏ボード１ａの片面に厚さ０．２７ｍｍの鋼板から成る金属板１ｂが接着されている金属板付石膏ボード１を使用しているので、加熱開始後に急激な温度上昇が認められるまでの時間が、金属板が接着されていない石膏ボードである比較例１や厚さが１００μｍの鋼板が接着されている比較例２に比較して長く、また石膏ボード１ａの崩れ落ちが防止されると共に穴あきも防止され、従来の外壁構造と比較して優れた防火耐火効果を奏していることが確認できた。
【００６０】
また、実施例２のように外壁用有機芯材入り金属パネル材３の有機芯材に無機繊維ネット３ｄを挿入したり、実施例３のように防火耐火性能が比較的弱い部位であるそれぞれの当接部位が直接重ならないようにしたりすれば、更に優れた防火耐火効果が増して好ましいことも確認できた。
【００６１】
次に実施例４として、石膏ボード１ａの片面に厚さ０．２７ｍｍの鋼板から成る金属板１ｂが接着されている前記実施例１と全く同様の金属板付石膏ボード１を形成し、この金属板付石膏ボード１をその四周を当接させた状態で金属板１ｂを屋内側に配して鋼製柱２の屋内側面上に鋼製柱２に至るタッピンビス１ｃで固定すると共に、有機芯材がイソシアヌレート樹脂発泡体より成るものであって上縁部及び下縁部にそれぞれ嵌合部を有した金属サンドイッチパネルから成り厚さが２５ｍｍである前記実施例１と全く同様の外壁用有機芯材入り金属パネル材３を鋼製柱２の屋外側面上に鋼製柱２に至るタッピンビス３ａで固定した。この際、金属板付石膏ボード１，１同士の水平当接部位１ｄと外壁用有機芯材入り金属パネル材３，３同士の水平当接部位３ｂとは垂直方向で同一高さにあり、且つ金属板付石膏ボード１，１同士の垂直当接部位１ｅと外壁用有機芯材入り金属パネル材３，３同士の垂直当接部位３ｃとが鋼製柱２の投影面上に位置するように金属板付石膏ボード１と有機芯材入り金属パネル材３とを固定した。
【００６２】
実施例５として、実施例４の金属サンドイッチパネルと同じ構成で厚さが３５ｍｍである外壁用有機芯材入り金属パネル材３を使用したこと以外は、実施例４と同様のものとした。
【００６３】
一方比較例３として、金属板が存在していない前記実施例１と同じ石膏ボード１ａを使用した以外は実施例４と同様ものとした。
【００６４】
このような実施例４〜５，比較例３の外壁構造に対して、前記防火耐火性能試験と同様に有機芯材入り金属パネル材３の屋外側から前記図１８に示すような温度曲線で加熱して、加熱側の反対側となる石膏ボードの屋内側の面（実施例４〜５では金属板の屋内側の面、比較例３では石膏ボードの屋内側の面）の温度を測定する防火耐火性能試験を行った。この防火耐火性能試験の結果を、加熱側の反対側となる石膏ボードの屋内側の面の最大温度の経時変化を図２０に示す。
【００６５】
この図２０から判るように、金属板が接着されていない石膏ボード１ａである比較例３は、加熱開始後３５分で急激な温度上昇が認められ、石膏ボードの一部には亀裂が生じた部位が認められ、更に石膏ボード自体が崩れ落ちた部位も認められた。
【００６６】
これに対し、石膏ボード１ａの片面に厚さ０．２７ｍｍの鋼板から成る金属板１ｂが接着されている金属板付石膏ボード１の実施例４は、加熱開始５０分後に急激な温度上昇が認められたが、金属板が接着されていない石膏ボードである比較例３のように、３５分での急激な温度上昇は認められなかった。これは、前記実施例１〜３，比較例１〜２に対する防火耐火性能試験と同様に金属板付石膏ボード１である実施例３の厚さ０．２７ｍｍという板厚の厚い鋼板１ｂにより石膏ボード１ａの崩れ落ちが防止されると共に穴あきが防止されたことに起因していると考えられる。
【００６７】
更に、厚さが３５ｍｍである外壁用有機芯材入り金属パネル材３を使用した実施例５に至っては加熱開始後６０分を経ても急激な温度上昇が認められなかった。これは外壁用有機芯材入り金属パネル材３の厚さが前記実施例３と比較して１０ｍｍ厚かったことに起因すると考えられる。
【００６８】
以上の試験結果からも判るように、本発明に係る防火耐火性能に優れた外壁構造は従来の外壁構造と比較して熱に対して優れた防火耐火効果を奏していることが確認できた。
【００６９】
【発明の効果】
以上に詳述した如く、本発明に係る防火耐火性能に優れた外壁構造は、石膏ボードが少なくともその片面に鋼板，アルミ板又は銅板から成り板厚が０．２７〜０．６ｍｍである金属板が接着されている金属板付石膏ボードであってこの金属板付石膏ボードがその金属板を屋内側に配して鋼製柱及び／又は鋼製横胴縁にタッピンビスで固定されているので、金属板付石膏ボードが加熱された際に石膏ボードに亀裂が生じたり、石膏ボードがその亀裂によって崩れ落ちたりすることを最小限に抑えることができ、そしてこの金属板付石膏ボードをその四周を当接させた状態で固定すると共に外壁用有機芯材入り金属パネル材がその隣接部分を当接された状態で金属板付石膏ボードの屋外側に固定する構造であるので、意匠性を損なうことがないと共に熱が屋外側から屋内側に急速に入り込んで屋内側の延焼が生じる現象を最小限に抑えることができるのである。
【００７０】
そして、金属板付石膏ボードを鋼製柱の屋外側に固定する場合には、外壁用有機芯材入り金属パネル材を、
鋼製柱の屋外側面上にその鋼製柱に至るタッピンビスで固定された金属板付石膏ボードの屋外側面上に鋼製柱に至るタッピンビスで、又はその金属板付石膏ボードの屋外側面上にその鋼製柱に至るタッピンビスで固定された取付け役物を介して固定したり、
鋼製柱の屋外側面上にその鋼製柱に直交して固定されている鋼製横胴縁の屋外側面上にその鋼製横胴縁に至るタッピンビスで固定された金属板付石膏ボードの屋外側面上にその鋼製横胴縁に至るタッピンビスで、又はその金属板付石膏ボードの屋外側面上にその鋼製横胴縁に至るタッピンビスで固定された取付け役物を介して固定したり、
隣合う鋼製柱の互いに対向する面に両端が固定されているその鋼製柱と直交する鋼製横胴縁の屋外側面上及び／又はその鋼製柱の屋外側面上にその鋼製横胴縁及び／又はその鋼製柱に至るタッピンビスで固定された金属板付石膏ボードの屋外側面上にその鋼製横胴縁及び／又はその鋼製柱に至るタッピンビスで、又はその金属板付石膏ボードの屋外側面上にその鋼製横胴縁及び／又はその鋼製柱に至るタッピンビスで固定された取付け役物を介して固定したりすれば、
施工性を損なうことなく、様々な施工方法や様々な構造や種類の金属パネル材に対応できると共に防火耐火性能に優れた外壁構造を得ることができて好ましいのである。
【００７１】
また金属板付石膏ボードを鋼製柱の屋内側に固定する場合には、
金属板付石膏ボードを鋼製柱の屋内側面上にその鋼製柱に至るタッピンビスで固定すると共に外壁用有機芯材入り金属パネル材を、その鋼製柱の屋外側面上にその鋼製柱に至るタッピンビスで、又はその鋼製柱の屋外側面上にその鋼製柱に至るタッピンビスで直接固定された取付け役物を介して固定したり、
金属板付石膏ボードを鋼製柱の屋内側面上にその鋼製柱に至るタッピンビスで固定すると共に外壁用有機芯材入り金属パネル材を、その鋼製柱の屋外側面上にその鋼製柱に直交して固定されている鋼製横胴縁の屋外側面上にその鋼製横胴縁に至るタッピンビスで、又はその鋼製柱の屋外側面上にその鋼製柱に直交して固定されているその鋼製横胴縁の屋外側面上にその鋼製横胴縁に至るタッピンビスで直接固定された取付け役物を介して固定したり、
金属板付石膏ボードを隣合う鋼製柱の互いに対向する面に両端が固定されているその鋼製柱と直交する鋼製横胴縁の屋内側面上及び／又はその鋼製柱の屋内側面上にその鋼製横胴縁及び／又はその鋼製柱に至るタッピンビスで固定すると共に外壁用有機芯材入り金属パネル材を、その鋼製横胴縁及び／又はその鋼製柱の屋外側面上にその鋼製横胴縁及び／又はその鋼製柱に至るタッピンビスで、又はその鋼製横胴縁及び／又はその鋼製柱の屋外側面上にその鋼製横胴縁及び／又はその鋼製柱に至るタッピンビスで直接固定された取付け役物を介して固定したりすれば、
施工性を損なうことなく、様々な施工方法や様々な構造や種類の金属パネル材に対応できると共に防火耐火性能に優れた外壁構造を得ることができて好ましいのである。
【００７２】
また、上記した各種外壁構造において、鋼製柱の屋外側面上に鋼製柱に直交して鋼製横胴縁が固定されている態様や隣合う鋼製柱の互いに対向する面にその鋼製柱と直交して鋼製横胴縁の両端が固定されている態様の場合には、有機芯材入り金属パネル材を縦張りする場合でも横張りする場合でもその施工が容易である。
【００７３】
更に、金属板付石膏ボード同士の水平当接部位と外壁用有機芯材入り金属パネル材同士の水平当接部位とが少なくとも垂直方向に１０ｃｍ以上離れており且つ金属板付石膏ボード同士の垂直当接部位と外壁用有機芯材入り金属パネル材同士の垂直当接部位とが鋼製柱の投影面上に位置していたり、金属板付石膏ボード同士の水平当接部位と外壁用有機芯材入り金属パネル材同士の水平当接部位とが鋼製横胴縁の投影面上に位置しており且つ金属板付石膏ボード同士の垂直当接部位と外壁用有機芯材入り金属パネル材同士の垂直当接部位とが少なくとも水平方向に１０ｃｍ以上離れていたり、金属板付石膏ボード同士の垂直当接部位が鋼製柱の投影面上に位置しており且つ外壁用有機芯材入り金属パネル材同士の水平当接部位が鋼製横胴縁の投影面上に位置していたり、更にこの場合に外壁用有機芯材入り金属パネル材同士の垂直当接部位が鋼製柱の投影面上に位置しており且つ金属板付石膏ボード同士の水平当接部位が鋼製横胴縁の投影面上に位置していたりすれば、金属板付石膏ボード同士の水平当接部位と外壁用有機芯材入り金属パネル材同士の水平当接部位、及び金属板付石膏ボード同士の垂直当接部位と外壁用有機芯材入り金属パネル材同士の垂直当接部位が、それぞれ鋼製柱や鋼製横胴縁の投影面上に位置している場合にはその固定が強固になり、金属板付石膏ボード同士の水平当接部位と外壁用有機芯材入り金属パネル材同士の水平当接部位、及び金属板付石膏ボード同士の垂直当接部位と外壁用有機芯材入り金属パネル材同士の垂直当接部位が水平方向若しくは垂直方向に１０ｃｍ以上離れている場合には、防火耐火性能が比較的弱い部位であるそれぞれの当接部位が直接重なることがないので、防火耐火性能が増して好ましいのである。
【００７４】
更に、外壁用有機芯材入り金属パネル材の有機芯材がイソシアヌレート樹脂発泡体，フェノール樹脂発泡体又はウレタンフェノール樹脂発泡体より成るものであれば、加熱された際に有機芯材が融解することなく有機芯材自体が炭化することにより有機芯材が所定位置より脱落し難いので、熱輻射等により防火耐火性能が急激に低下することがないので好ましく、また外壁用有機芯材入り金属パネル材の有機芯材に無機繊維ネットが１〜３枚挿入されていれば、有機芯材が加熱された際に融解したり、炭化して亀裂が生じたりすることによって所定位置から脱落するのを最小限に防止することができるので好ましいのである。
【００７５】
更に、外壁用有機芯材入り金属パネル材の厚さが２５ｍｍ〜５０ｍｍであれば、外壁用有機芯材入り金属パネル材の防火耐火性能と経済性施工性とが両立して好ましく、また金属板付石膏ボードが、石膏ボードの少なくとも片面に金属板が１００℃以上の耐熱性を有する接着剤で接着されている金属板付石膏ボードであれば、金属板付石膏ボードの防火耐火性能が向上して好ましいのである。
【００７６】
このような種々の効果を奏する本発明に係る防火耐火性能に優れた外壁構造の建築分野に貢献する価値は非常に大きなものである。
【図面の簡単な説明】
【図１】本発明に係る防火耐火性能に優れた外壁構造に使用する金属板付石膏ボードの構造例を示す断面説明図である。
【図２】本発明に係る防火耐火性能に優れた外壁構造において金属板付石膏ボードを鋼製柱の屋外側に固定した状態例を示す側断面説明図である。
【図３】本発明に係る防火耐火性能に優れた外壁構造の１実施例における施工状態を示す斜視説明図である。
【図４】図３の防火耐火性能に優れた外壁構造を示す側断面説明図である。
【図５】取付け役物を使用した本発明に係る防火耐火性能に優れた外壁構造の他の実施例における施工状態を示す斜視説明図である。
【図６】図５の防火耐火性能に優れた外壁構造を示す側断面説明図である。
【図７】本発明に係る防火耐火性能に優れた外壁構造の更に他の実施例における施工状態を示す斜視説明図である。
【図８】図７の防火耐火性能に優れた外壁構造を示す側断面説明図である。
【図９】取付け役物を使用した本発明に係る防火耐火性能に優れた外壁構造の更に他の実施例における施工状態を示す斜視説明図である。
【図１０】図９の防火耐火性能に優れた外壁構造を示す側断面説明図である。
【図１１】本発明に係る防火耐火性能に優れた外壁構造の更に他の実施例における施工状態を示す斜視説明図である。
【図１２】本発明に係る防火耐火性能に優れた外壁構造の更に他の実施例における施工状態を示す斜視説明図である。
【図１３】本発明に係る防火耐火性能に優れた外壁構造の更に他の実施例における施工状態を示す斜視説明図である。
【図１４】図１３の防火耐火性能に優れた外壁構造を示す側断面説明図である。
【図１５】本発明に係る防火耐火性能に優れた外壁構造の更に他の実施例における施工状態を示す斜視説明図である。
【図１６】本発明に係る防火耐火性能に優れた外壁構造の更に他の実施例における施工状態を示す斜視説明図である。
【図１７】本発明に係る防火耐火性能に優れた外壁構造に使用する有機芯材に無機繊維ネットが挿入されている外壁用有機芯材入り金属パネル材の構造の１例を示す断面説明図である。
【図１８】実施例及び比較例の外壁構造に対して有機芯材入り金属パネル材の屋外側から加熱した温度曲線を示す図である。
【図１９】実施例１〜２，比較例１〜２の外壁構造における石膏ボードの屋内側面の温度変化を示す図である。
【図２０】実施例３〜４及び比較例３の外壁構造における石膏ボードの屋内側面の温度変化を示す図である。
【符号の説明】
１　金属板付石膏ボード
１ａ　石膏ボード
１ｂ　金属板
１ｃ　タッピンビス
１ｄ　水平当接部位
１ｅ　垂直当接部位
１ｆ　耐熱性を有するテープ
１ｇ　耐熱性を有するコーキング材
２　鋼製柱
２ａ　鋼製横胴縁
３　外壁用有機芯材入り金属パネル材
３ａ　タッピンビス
３ｂ　水平当接部位
３ｃ　垂直当接部位
３ｄ　無機繊維ネット
４　取付け役物
４ａ　タッピンビス
【図１】
2004003295.tif 000003
【図２】
2004003295.tif 000004
【図３】
2004003295.tif 000005
【図４】
2004003295.tif 000006
【図５】
2004003295.tif 000007
【図６】
2004003295.tif 000008
【図７】
2004003295.tif 000009
【図８】
2004003295.tif 000010
【図９】
2004003295.tif 000011
【図１０】
2004003295.tif 000012
【図１１】
2004003295.tif 000013
【図１２】
2004003295.tif 000014
【図１３】
2004003295.tif 000015
【図１４】
2004003295.tif 000016
【図１５】
2004003295.tif 000017
【図１６】
2004003295.tif 000018
【図１７】
2004003295.tif 000019
【図１８】
2004003295.tif 000020
【図１９】
2004003295.tif 000021
【図２０】
2004003295.tif 000022